(57)【要約】【目的】  表示パネル上でカラーでペン入力表示可能な液晶表示装置を提供する。【構成】  液晶表示パネル上でカラー表示すべき位置を指示するためのペン１と、ペン１により指示された位置を認識して座標データとして出力する座標検出装置２と、カラー表示すべき色を指定して色データとして出力する色指定回路６と、指定された色データを記憶するための記憶素子４と、座標データにより生成されたアドレスに基づいて、記憶素子４に対する色データの書込み及び読出しを制御する記憶制御回路３と、記憶素子４から読出された色データを映像データとして表示パネルに出力する出力制御回路９とを有する液晶表示装置。【選択図】  図１
2006209783.tif 000002
【特許請求の範囲】
【請求項１】
マトリクス状に配置された表示画素を有する液晶表示パネルに、ペン入力操作により所望の描画像を表示するようにした液晶表示装置において、
前記ペン入力操作に応答して、前記描画像をカラー表示可能に構成したことを特徴とする液晶表示装置。
【請求項２】
マトリクス状に配置された表示画素を有する液晶表示パネルと、
表示パネル上でカラー表示すべき位置を指示するための指示手段と、
上記指示手段により指示された位置を認識して座標データとして出力する座標検出手段と、
カラー表示すべき色を指定するための色指定手段と、
指定された色データを記憶するための記憶手段と、
上記検出された座標データにより生成されたアドレスに基づいて、上記記憶手段に対する色データの書込み及び読出しを制御する記憶制御手段と、
上記記憶手段から読出された色データを映像データとして表示パネルに出力する出力制御手段とを有することを特徴とする液晶表示装置。
【請求項３】
前記指示手段は、前記表示パネル上でカラー表示すべき軌跡を描くための入力用ペンであり、
前記座標検出手段は、この入力用ペンの描いた軌跡を認識するための認識手段を有し、この認識手段の出力を前記表示パネルのドットに対応するＸ、Ｙ座標データとして出力することを特徴とする請求項２の液晶表示装置。
【請求項４】
前記認識手段は、圧力センサー、静電センサー及び熱センサーのいずれかであることを特徴とする請求項３の液晶表示装置。
【請求項５】
前記色指定手段は、前記指示手段による指示により所望の色を選択可能なように、あらかじめ表示パネル上に色別に設けらた色指定エリアであることを特徴とする請求項２の液晶表示装置。
【請求項６】
前記色指定手段は、動作モードを色選択用モードに設定し、この色選択用モードを介して所望の色の選択を行うように設けられた色選択用メニューであることを特徴とする請求項２の液晶表示装置。
【請求項７】
前記液晶表示パネルは、前記画素に薄膜トランジスタが配置されたアクティブマトリクス型の表示パネルであることを特徴とする請求項２の液晶表示装置。
【請求項８】
マトリクス状に配置された表示画素を有する液晶表示パネルに、ペン入力操作によりカラー表示を行う液晶表示方法において、
あらかじめカラー表示すべき色を指定しておき、
表示パネル上で、ペンによりカラー表示すべき軌跡を描き、
この軌跡に対応する座標データに基づいて記憶手段のアドレスを生成し、
この記憶手段のアドレスに上記指定された色データを書込み、
この記憶手段から色データを読出して、映像データとして表示パネルに出力することを特徴とする液晶表示方法。
【発明の詳細な説明】
【技術分野】
【０００１】
本発明は、表示パネル上でペン入力によりカラー表示を可能にした液晶表示装置及びその表示方法に関する。
【背景技術】
【０００２】
近年の情報の多様化、携帯用情報機器の小形軽量化への流れの中で、表示パネルにメモ書きする感覚で操作できるペン入力方式が注目されている。このようなペン入力方式として、表示パネルとペン入力パネル（タブレットパネル）を積み重ねる方法、表示パネルとペン入力パネルを共用する方法などが提案されている。
【０００３】
例えば、前者の方式によるペン入力は次のように行われる。まず、入力タブレットは、縦方向と横方向に位置検出用電極が形成された二枚のガラス基板を張り合わせて構成されている。その表面をペンで押圧しながら描画すると、その変化する描画位置の座標が座標検出回路により検出され、その検出座標に応じた図形や文字等の画像データが制御回路等で生成され、その画像データに基づいて液晶駆動回路により液晶表示パネルに描画像が表示されるようになっている。  これに関連する技術として、例えば、特開昭５８−２００３８４号、特開平７−１７５５９１号などがある。
【０００４】
しかし  従来の液晶表示装置では、液晶表示パネル上でペン入力可能にはなっているが、カラー表示まで行う構成にはなっていなかった。
【発明の開示】
【発明が解決しようとする課題】
【０００５】
本発明は、従来の問題点に鑑みてなされたもので、その目的は、表示パネル上でペン入力可能で、かつカラー表示可能な液晶表示装置及びその表示方法を提供することにある。
【課題を解決するための手段】
【０００６】
上記目的を達成するために、請求項１では、マトリクス状に配置された表示画素を有する液晶表示パネルに、ペン入力操作により所望の描画像を表示するようにした液晶表示装置において、前記ペン入力操作に応答して、前記描画像をカラー表示可能に構成した。
【０００７】
また、請求項２の液晶表示装置では、
マトリクス状に配置された表示画素を有する液晶表示パネルと、
表示パネル上でカラー表示すべき位置を指示するための指示手段と、
上記指示手段により指示された位置を認識して座標データとして出力する座標検出手段と、
カラー表示すべき色を指定するための色指定手段と、
指定された色データを記憶するための記憶手段と、
上記検出された座標データにより生成されたアドレスに基づいて、上記記憶手段に対する色データの書込み及び読出しを制御する記憶制御手段と、
上記記憶手段から読出された色データを映像データとして表示パネルに出力する出力制御手段とを有する。
【０００８】
また、請求項３の液晶表示装置では、前記指示手段は、前記表示パネル上でカラー表示すべき軌跡を描くための入力用ペンであり、  
前記座標検出手段は、この入力用ペンの描いた軌跡を認識するための認識手段を有し、この認識手段の出力を前記表示パネルのドットに対応するＸ、Ｙ座標データとして出力する。
【０００９】
また、請求項４の液晶表示装置では、前記認識手段は、圧力センサー、静電センサー及び熱センサーのいずれかである。
【００１０】
また、請求項５の液晶表示装置では、前記色指定手段は、前記指示手段による指示により所望の色を選択可能なように、あらかじめ表示パネル上に色別に設けらた色指定エリアである。  また、請求項６の液晶表示装置では、前記色指定手段は、動作モードを色選択用モードに設定し、この色選択用モードを介して所望の色の選択を行うように設けられた色選択用メニューである。  また、請求項７の液晶表示装置では、前記液晶表示パネルは、  前記画素に薄膜トランジスタが配置されたアクティブマトリクス型の表示パネルである。
【００１１】
さらに、請求項８では、マトリクス状に配置された表示画素を有する液晶表示パネルに、ペン入力操作によりカラー表示を行う液晶表示方法において、  
あらかじめカラー表示すべき色を指定しておき、
表示パネル上で、ペンによりカラー表示すべき軌跡を描き、  
この軌跡に対応する座標データに基づいて記憶手段のアドレスを生成し、
この記憶手段のアドレスに上記指定された色データを書込み、
この記憶手段から色データを読出して,映像データとして表示パネルに出力する。
【００１２】
本発明では、液晶表示パネルは、マトリクス状に配置された表示画素を有する。カラー表示させるには、最初に、色指定手段によりカラー表示すべき色を指定する。この色の指定は、あらかじめ表示パネル上に色別に設けらた色指定エリアをポインティングすることによって行ってもよいし、色選択用メニューを操作して、動作モードを色選択用モードに設定することにより行ってもよい。
【００１３】
次に、表示パネル上で指示手段により、カラー表示すべき位置を指示する。具体的には、この指示手段は入力用ペンであり、このペンを使って表示パネル上でカラー表示すべき軌跡を描く。指示手段により指示された位置は、座標検出手段により認識されて座標データとして出力される。この座標検出手段は、入力用ペンの描いた軌跡を認識するための認識手段（圧力センサー、静電センサー、熱センサー等）を有し、この認識手段の出力を表示パネルのドットに対応するＸ、Ｙ座標データとして出力する。
【００１４】
記憶制御手段は、このようにして出力された座標データによりアドレスを生成する。さらに、このアドレスに基づいて、記憶手段に対する色データの書込み及び読出しを制御する。そして、記憶手段に記憶された色データは、記憶制御手段の制御の下に読出されて、映像データとして表示パネルに出力される。このようにして、ペン入力によるカラー表示が可能になる。
【発明の効果】
【００１５】
本発明によれば、表示パネル上でカラーでペン入力可能な液晶表示装置及び表示方法を提供することができる。  
【実施例】
【００１６】
マトリクス状に配置された表示画素が配置された液晶表示パネルには、ペン１により入力された座標を検出するための座標検出装置１が設けられている。ここで、液晶表示パネルの構成をアクティブマトリクス型の表示装置を例にとって図５により説明する。アクティブマトリクス型の表示装置は、図５に示すように、マトリクスの各交差部に画素が配置され、すべての画素にはスイッチング用の素子５０が設けられており、画像情報はスイッチング素子５０のオン／オフによって制御される。このような表示装置の表示媒体として液晶５１が用いられる。上記スイッチング用素子５０として、三端子素子、すなわち、ゲート、ソース、ドレインを有する薄膜トランジスタ（ＴＦＴ）が用いられる。そして、走査線５２は、薄膜トランジスタ５０のゲート電極に接続される。一方、信号線５３は  薄膜トランジスタ５０のソース（もしくはドレイン）電極に接続される。
【００１７】
座標検出装置２は、ペン１により指示されたＸ及びＹ方向の位置を認識するための認識センサー２１と、この認識センサー２１の認識データを表示パネルのドットに一対一で対応するＸ及びＹ座標データとして出力する座標検出回路２２とからなる。この置認識センサー２１としては、例えば、圧力センサー、静電センサー及び熱センサー等が挙げられる。
【００１８】
この座標検出回路２２には、記憶制御回路３が接続されている。この記憶制御回路３は、後述の記憶素子４に対する物理アドレスの設定及び読出し／書込み制御を行う。具体的には、座標検出回路２２により検出された座標データ（Ｘ，Ｙ座標データ）により、記憶素子４への書込み用の物理アドレスを生成する。また、後述のシーケンス制御回路５からの情報により、書込み時には、例えば「ＷＥ」のような書込みコマンドを所定のタイミングで発生する。また、読出し時は、液晶表示パネルへ表示するための物理アドレスの制御及びこれに必要な信号（コントロール信号）を発生して、記憶素子４の読出し動作を制御する。
【００１９】
この記憶制御回路３には、記憶素子４、色指定回路６、パネル表示タイミング発生回路７がそれぞれ接続されている。また、上記座標検出装置２、記憶制御回路３、色指定回路６及びパネル表示タイミング信号発生回路７は、シーケンス制御回路５にそれぞれ接続されている。そして、記憶素子４は、ＲＧＢ変換テーブル８を介して出力制御回路９に接続されている。また、上記パネル表示タイミング信号発生回路７も、この出力制御回路９に接続されている。
【００２０】
ここで、記憶素子４は、表示パネルの解像度（ドット総数）分のアドレスをもち、データビット数Ｎビットからなる。この構成により、表示パネルの背面色を含めて２のＮの色を扱うことができる。例えば、１６色を扱いたいときには、データビットは４ビットとなる。さらに、この記憶素子は、Ｎ組の記憶領域を有する。例えば、１６色を扱いたいときには、図２に示すような４組の記憶領域（ＭＥＭ０，ＭＥＭ１，ＭＥＭ２，ＭＥＭ３）を有し、この各記憶領域（ＭＥＭ０，ＭＥＭ１，ＭＥＭ２，ＭＥＭ３）に４ビットのデータがそれぞれ格納されるようになっている。  
【００２１】
また、色指定回路６は、表示パネル上の色選択座標がポインティングされたときに、ポインティングされた色に対応する色データを設定するものでる。ここで、色指定座標とは、液晶表示パネル上に色別に設けられたエリアのことである。例えば、１６色を扱いたいときには、１６個の色別のエリアが設けられている。このような構成の下、ペン１によりカラー表示したい色指定座標（色別エリア）をポインティングすることにより色の選択が可能になる。
【００２２】
ここで、上記色データは、Ｎ組の記憶領域を有する記憶素子４により扱うことのできる０から（２のＮ乗−１）の値をもつデータである。例えば、１６色を扱いたいときには、４組の記憶領域を有する記憶素子４により扱うことのできる０から１５の値をもつデータである。色指定回路６は、例えば、図４に示すようなテーブルを有する。このテーブルは、１６色を扱う場合を示し、例えば、色選択座標により「黒」を選択した場合には、色データ「１１１１」が設定される。また、色選択座標により「赤」を選択した場合には、色データ「０００１」が設定されることになる。この場合、色と色データとの割り付けは任意に決定される。
【００２３】
ここで、上記実施例では、表示パネル上に色選択座標（色別エリア）を設け、これをポインティングすることによりカラー表示すべき色の選択を行うようにしたが、画面上に専用の色選択用メニューを設けておき、この色選択用メニューを操作することによりカラー表示すべき色を選択するようにしてもよい。つまり、色選択用メニューの操作により、画面の動作モードを色選択用のモードに切り換え、この色選択用の画面を介して色の選択を行うようにするのである。このようにすれば、あらかじめ表示パネル上に色別のエリアを設けておく必要がなくなり表示画面を有効に利用することが可能になる。  
【００２４】
また、パネル表示タイミング信号発生回路７は、表示パネル及び記憶制御回路３、出力制御回路９への書込み同期信号や動作クロック、初期化信号等を生成する。ＲＧＢ変換テーブル８は、パネルの表示動作時、記憶素子４から読出されたデータを、実際の色データに変換する。出力制御回路９は、映像データや表示制御信号のリタイミングや、Ｄ／Ａ変換、レベルシフトなどを行う。
【００２５】
このような構成の下、色選択座標（色別エリア）あるいは色選択用メニューの操作により選択された色は、色指定回路６により対応する色データに変換されて、記憶素子４の各記憶領域に格納される。例えば、１６色を扱う場合には、色選択座標（色別エリア）あるいは色選択用メニューの操作により選択された色は、色指定回路６のテーブル（図４参照）により対応する４ビットの色データに変換されて、記憶素子４の各記憶領域（ＭＥＭ０，ＭＥＭ１，ＭＥＭ２，ＭＥＭ３）にそれぞれ格納される。
【００２６】
このようにして記憶素子４に記憶された色データは、  記憶制御回路３の制御により読出されてＲＧＢ変換テーブル８に入力される。ＲＧＢ変換テーブル８は、この色データをパネル表示上の実際のＲＧＢデータに変換して出力制御回路９に出力する。出力制御回路９は、パネル表示タイミング信号発生回路７からの信号に基づいて、このＲＧＢデータを映像データとして液晶表示パネルに表示する。このようにして、ペン入力によるカラー表示が可能になる。  
【００２７】
次に、本発明の動作を詳細に説明する。
ここでは、１６色を扱う場合を例にとつて説明する。例えば、図２に示すように、曲線Ａを「黒」で表示し、直線Ｂを「赤」で表示する場合を想定する。また、表示画面は、最初、背景色である「白」に表示されているとする。
記憶素子４は、図２に示すように、４組のメモリ領域（ＭＥＭ０，ＭＥＭ１，ＭＥＭ２，ＭＥＭ３）に分かれており、この各メモリ領域に格納される色データの内容を図３に示す。ここで、（ａ）は初期値であり、背景色は「白」であるのですべて゛０゛が格納されている。また、（ｂ）は曲線Ａをペン入力した場合の記憶内容に対応し、（ｃ）は直線Ｂをペン入力した場合の記憶内容にそれぞれ対応する。
【００２８】
まず、操作者は、あらかじめカラー表示すべき色を指定する。この色の指定は、色指定座標（色別エリア）をポインティングすることにより行ってもよいし、色選択用メニューを操作することにより行ってもよい。  
【００２９】
この場合、最初に、曲線Ａを「黒」で表示するので、色指定座標のポインティングあるいは色選択用メニューにより「黒」を選択する。このようにして選択された色は、色指定回路６により色データに変換される。具体的には、指定された色は、変換用のテーブル（図４参照）により色データに変換されて出力される。この場合だと、「黒」が４ビットの色データ「１１１１」に変換される。
【００３０】
このようにして、色を指定した後、操作者は、表示パネル上でペン１により描きたい軌跡を描く。この場合だと、表示パネル上に曲線Ａが描かれる。表示パネル上に描かれた軌跡は、座標検出装置２により座標データ（Ｘ，Ｙ座標データ）として出力されて記憶制御回路３に入力される。記憶制御回路３は、この座標データに基づい物理アドレスを生成し、このようにして生成したアドレスに色データを順次書き込む。ここで、記憶素子４は、図２に示すように、４組のメモリ領域（ＭＥＭ０，ＭＥＭ１，ＭＥＭ２，ＭＥＭ３）に分かれており、上記４ビットの色データ「１１１１」は、この記憶領域（ＭＥＭ０，ＭＥＭ１，ＭＥＭ２，ＭＥＭ３）にそれぞれ格納される。この結果、各記憶領域（ＭＥＭ０，ＭＥＭ１，ＭＥＭ２，ＭＥＭ３）の記憶内容は、図３（ｂ）に示すようになる。
【００３１】
次に、直線Ｂを「赤」で表示するので、今度は、色指定座標（色別エリア）のポインティングあるいは色選択メニューの操作により「赤」を選択する。この選択された色は、色指定回路６により色データに変換される。この場合だと、変換用のテーブル（図４参照）により「赤」が４ビットの色データ「０００１」に変換される。
【００３２】
色を指定した後、表示パネル上でペン１により描きたい軌跡（直線Ｂ）を描くと、描かれた軌跡は、座標検出装置２により座標データとして出力されて記憶制御回路３に入力され物理アドレスが生成される。そして、このようにして生成した記憶素子４のアドレスに色データを順次書き込む。具体的には、４ビットの色データ「０００１」は、図２に示す記憶領域（ＭＥＭ０，ＭＥＭ１，ＭＥＭ２，ＭＥＭ３）にそれぞれ格納される。この結果、各記憶領域（ＭＥＭ０，ＭＥＭ１，ＭＥＭ２，ＭＥＭ３）の記憶内容は、図３（ｃ）に示すようになる。
【００３３】
このようにして、記憶素子４に記憶された色データは、記憶制御回路３に制御されて記憶素子４から順次読み出されてＲＧＢ変換テーブル８に入力される。ＲＧＢ変換テーブル８は、入力された色データをＲＧＢデータとして出力制御回路９に出力する。出力制御回路９は、ＲＧＢデータをＤ／Ａ変換して映像データを表示パネルに出力する。このようにして、ペン入力された軌跡（曲線Ａ及び直線Ｂ）が表示パネル上に「赤」あるいは「黒」で表示される。
【００３４】
さらに、他の色で他の軌跡を描きたい場合には、色指定座標（色別エリア）のポインティングあるいは色選択メニューの操作により、カラー表示したい色を逐次選択しながら、上記動作を繰り返せばよい。
【００３５】
また、表示パネル上に、背面色と線色の選択メニューを設けてもよい。この背面色  の指定を行うためには、記憶素子４の背面色に相当するアドレスに、指定された色データを書く込む必要がある。このため、この記憶素子４のデータを読み出して、背面色指定前の背面色データのアドレスのデータを、選択された背面色データに置き換える。これは、専用のハードウェアにより実現してもよいし、ソフトウェアにより処理してもよい。
【００３６】
上記実施例では、説明の便宜上、４ビットのデータにより１６色を表示する場合を例に取り説明したが、、本発明はこれに限定されず、それ以上の色を表示するようにしてもよい。また、ペン入力方法としては、表示パネルとペン入力パネルを積み重ねる方法、表示パネルとペン入力パネルを共用する方法のどちらを採用してもよい。
【図面の簡単な説明】
【００３７】
【図１】本発明の液晶表示装置の回路構成を示す図である。
【図２】色データの記憶方法を示す図である。
【図３】記憶素子の記憶内容を示す図である。
【図４】色指定回路のテーブル構成を示す図である。
【図５】液晶表示パネルの構成を示す図である。
【符号の説明】
【００３８】
１  ペン
２  座標検出装置
３  記憶制御回路
４  記憶素子
５  シーケンス制御回路
６  色指定回路
７  パネル表示タイミング信号発生回路
８  ＲＧＢ変換テーブル
９  出力制御回路
【図１】
2006209783.tif 000003
【図２】
2006209783.tif 000004
【図３】
2006209783.tif 000005
【図４】
2006209783.tif 000006
【図５】
2006209783.tif 000007
【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
マトリクス状に配置された表示画素を有する液晶表示装置の表示方法であって、
指示手段により、前記液晶表示装置の液晶表示パネル上に設けられたそれぞれ色の異なる２Ｎ個の色別エリアのうち、所望の色を表示している色別エリアを指示し、
指示した色を色指定手段の有する変換テーブルにより、色データに変換し、
前記液晶表示装置のパネル上で前記指示手段により表示するための軌跡を指示し、
座標検出手段により、前記軌跡を認識して、前記液晶表示装置の各画素に対応するＸ，Ｙ座標データとして出力を行い、
記憶制御手段により、
前記Ｘ，Ｙ座標データに基づいて各画素に対応する物理アドレスを生成し、
前記物理アドレスに基づき、前記色データを画素数と同数のアドレスを有し、Ｎ個の記憶領域を有する記憶領域に書き込み、
前記色データを前記記憶領域から読み出して、前記出力制御手段に出力し、
出力制御手段により、前記色データを映像データに変換して前記表示装置に前記指示した色で前記軌跡をカラー出力することを特徴とする液晶表示装置の表示方法。
【請求項２】
請求項１において、
前記出力制御手段は、ＲＧＢ変換テーブルにより前記色データをＲＧＢデータに変換し、前記ＲＧＢデータを映像データに変換することを特徴とする液晶表示装置の表示方法。
【請求項３】
請求項１又は請求項２において、
指示手段により、前記液晶表示装置のパネル上に設けられた色選択メニューを指示することで、色選択モードとして前記色別エリアを表示することを特徴とする液晶表示装置の表示方法。
【請求項４】
請求項１乃至３のいずれか一項において、
前記指示手段とは、前記液晶表示装置のパネル上でカラー表示すべき軌跡を指示するための入力用ペンであることを特徴とする液晶表示装置の表示方法。
【請求項５】
請求項１乃至請求項４のいずれか一項において、
前記座標検出手段における認識手段は、圧力センサー、静電センサー、又は熱センサーから選ばれた一つであることを特徴とする液晶表示装置の表示方法。
【請求項６】
請求項１乃至請求項５のいずれか一項において、
前記液晶パネルは、各画素に薄膜トランジスタが配置されたアクティブマトリクス型の表示パネルであることを特徴とする液晶表示装置の表示方法。
【請求項７】
マトリクス状に配置された表示画素を有する液晶表示パネルと、
前記液晶表示パネル上に色別に設けられた２Ｎ個の色別エリアと、
前記色別エリアの指示、又は前記液晶表示パネル上で表示するための軌跡を指示する指示手段と、
前記指示手段により指示された前記色別エリアの位置を認識して出力し、又は前記軌跡の位置を認識して液晶表示装置の各画素に対応するＸ，Ｙ座標データとして出力する座標検出手段と、
液晶表示装置の画素数と同数のアドレスを有するＮ個の記憶領域を持つ記憶手段と、
前記出力された色別エリアの位置を色データに変換するテーブルを有する色指定手段と、
前記出力された前記Ｘ，Ｙ座標データにより前記液晶表示装置の各画素に対応する物理アドレスを生成し、前記色データを物理アドレスに書き込んで前記記憶領域に格納し、前記色データを前記記憶領域から読み出して前記出力制御手段への出力をすること記憶制御手段と、
前記色データを映像データとし前記液晶表示パネルに指示した前記色別エリアの色で指示された前記軌跡をカラー出力する出力制御手段と、を有することを特徴とする液晶表示装置。
【請求項８】
請求項７において、
前記出力制御手段は、ＲＧＢ変換テーブルにより前記色データをＲＧＢデータに変換し、前記ＲＧＢデータを映像データに変換することを特徴とする液晶表示装置。
【請求項９】
請求項７又は請求項８において、
前記色別エリアは、指示手段により、前記液晶表示装置のパネル上に設けられた色選択メニューを指示することで、色選択モードとして表示することを特徴とする液晶表示装置。
【請求項１０】
請求項７乃至請求項９のいずれか一項において、
前記指示手段とは、前記表示パネル上でカラー表示すべき軌跡を指示するための入力用ペンであることを特徴とする液晶表示装置。
【請求項１１】
請求項７乃至請求項１０いずれか一項において、
前記座標検出手段における認識手段は、圧力センサー、静電センサー、又は熱センサーから選ばれた一つであることを特徴とする液晶表示装置。
【請求項１２】
請求項７乃至請求項１１のいずれか一項において、
前記液晶表示パネルは、各画素に薄膜トランジスタが配置されたアクティブマトリクス型の表示パネルであることを特徴とする液晶表示装置。
【手続補正２】
【補正対象書類名】明細書
【補正対象項目名】０００６
【補正方法】変更
【補正の内容】
【０００６】
上記目的を達成するために、本発明の一つの構成としては、マトリクス状に配置された表示画素を有する液晶表示パネルに、ペン入力操作により所望の描画像を表示するようにした液晶表示装置において、前記ペン入力操作に応答して、前記描画像をカラー表示可能に構成した。
【手続補正３】
【補正対象書類名】明細書
【補正対象項目名】０００７
【補正方法】変更
【補正の内容】
【０００７】
また、本発明の一つの構成としては、マトリクス状に配置された表示画素を有する液晶表示パネルと、表示パネル上でカラー表示すべき位置を指示するための指示手段と、上記指示手段により指示された位置を認識して座標データとして出力する座標検出手段と、カラー表示すべき色を指定するための色指定手段と、指定された色データを記憶するための記憶手段と、上記検出された座標データにより生成されたアドレスに基づいて、上記記憶手段に対する色データの書込み及び読出しを制御する記憶制御手段と、上記記憶手段から読出された色データを映像データとして表示パネルに出力する出力制御手段とを有する。
【手続補正４】
【補正対象書類名】明細書
【補正対象項目名】０００８
【補正方法】変更
【補正の内容】
【０００８】
また、本発明の一つの構成としては、前記指示手段は、前記表示パネル上でカラー表示すべき軌跡を描くための入力用ペンであり、前記座標検出手段は、この入力用ペンの描いた軌跡を認識するための認識手段を有し、この認識手段の出力を前記表示パネルのドットに対応するＸ、Ｙ座標データとして出力する。
【手続補正５】
【補正対象書類名】明細書
【補正対象項目名】０００９
【補正方法】変更
【補正の内容】
【０００９】
また、本発明の一つの構成としては、前記認識手段は、圧力センサー、静電センサー及
び熱センサーのいずれかである。
【手続補正６】
【補正対象書類名】明細書
【補正対象項目名】００１０
【補正方法】変更
【補正の内容】
【００１０】
また、本発明の一つの構成としては、前記色指定手段は、前記指示手段による指示により所望の色を選択可能なように、あらかじめ表示パネル上に色別に設けらた色指定エリアである。また、本発明の一つの構成としては、前記色指定手段は、動作モードを色選択用モードに設定し、この色選択用モードを介して所望の色の選択を行うように設けられた色選択用メニューである。また、本発明の一つの構成としては、前記液晶表示パネルは、前記画素に薄膜トランジスタが配置されたアクティブマトリクス型の表示パネルである。
【手続補正７】
【補正対象書類名】明細書
【補正対象項目名】００１１
【補正方法】変更
【補正の内容】
【００１１】
さらに、本発明の一つの構成としては、マトリクス状に配置された表示画素を有する液晶表示パネルに、ペン入力操作によりカラー表示を行う液晶表示方法において、あらかじめカラー表示すべき色を指定しておき、表示パネル上で、ペンによりカラー表示すべき軌跡を描き、この軌跡に対応する座標データに基づいて記憶手段のアドレスを生成し、この記憶手段のアドレスに上記指定された色データを書込み、この記憶手段から色データを読出して、映像データとして表示パネルに出力する。